(57)【要約】【課題】  携帯可能な加熱器において複数回の使用を可能とする。【解決手段】  酸化カルシウムを含む発熱体２と、該発熱体２を出し入れ可能な容器１とを備える。【選択図】          図１
2007032908.tif 000002
【特許請求の範囲】
【請求項１】
酸化カルシウムを含む発熱体と、該発熱体を出し入れ可能な容器とを備えることを特徴とする加熱器。
【請求項２】
前記容器が、下端が閉塞された内筒と下端が閉塞された外筒とを備える二重筒構造とされ、前記内筒と前記外筒との間が前記発熱体を収納する空間として形成されていることを特徴とする請求項１記載の加熱器。
【請求項３】
前記外筒が断熱性を有する材によって形成されていることを特徴とする請求項２記載の加熱器。
【請求項４】
前記発熱体の出入口に開閉可能な蓋部を備えることを特徴とする請求項１〜３いずれかに記載の加熱器。
【請求項５】
酸化カルシウムを含む発熱体を容器に入れる工程と、前記容器内に水を入れる工程と、発熱する前記発熱体を用いて加熱対象物を加熱する工程と、前記発熱体の発熱が完了した後に前記発熱体を前記容器から取り出して焼成する工程と、焼成した前記発熱体を再び前記容器内に入れる工程とを有することを特徴とする加熱方法。
【発明の詳細な説明】
【技術分野】
【０００１】
本発明は、加熱器及び加熱方法に関するものである。
【背景技術】
【０００２】
所定の物を短時間で加熱したい状況は、通常の生活の様々な場面に存在している。例えばコンロ等の加熱装置が設置されていない海や山へのレジャーの場面では、飲み物や食べ物を短時間で加熱したい状況が良く生まれる。
一般的に、所定の物を短時間で加熱する場合には、火が用いられるが、コンロ等の装置のない場所で火を点けることは難しく、また、火気厳禁の場所も多い。これに加え、コンロ等の装置は携帯するには大きすぎる。
そこで、特許文献１には、パッケージ内に封入された熱発生組成物（例えば、酸化カルシウム）と活性化溶液（例えば、水）とを接触させることによって発熱させ、この発熱によって加熱対象物を加熱する技術が開示されている。
【特許文献１】特表２００３−５０４２８５号公報
【発明の開示】
【発明が解決しようとする課題】
【０００３】
しかしながら、特許文献１に開示された技術においては、一度熱発生組成物と活性化溶液とを接触させることによって発熱させ、その発熱が完了すると、再び発熱させることができない。すなわち、特許文献１に開示された加熱器は、一度使用した後は捨てることとなる。
近年の環境意識の高まりから、特許文献１のような使い捨てタイプの加熱器は望まれていなく、リサイクル可能な加熱器が望まれている。
【０００４】
本発明は、上述する問題点に鑑みてなされたもので、携帯可能な加熱器において複数回の使用を可能とすることを目的とする。
【課題を解決するための手段】
【０００５】
上記目的を達成するために、本発明では、加熱器に係る第１の手段として、酸化カルシウムを含む発熱体と、該発熱体を出し入れ可能な容器とを備えるという構成を採用する。
【０００６】
加熱器に係る第２の手段として、上記第１の手段において、上記容器が、下端が閉塞された内筒と下端が閉塞された外筒とを備える二重筒構造とされ、上記内筒と上記外筒との間が上記発熱体を収納する空間として形成されているという構成を採用する。
【０００７】
加熱器に係る第３の手段として、上記第２の手段において、上記外筒が断熱性を有する材料によって形成されているという構成を採用する。
【０００８】
加熱器に係る第４の手段として、上記第１〜第３の手段において、上記発熱体の出入口に開閉可能な蓋部を備えるという構成を採用する。
【０００９】
加熱方法に係る手段として、酸化カルシウムを含む発熱体を容器に入れる工程と、上記容器内に水を入れる工程と、発熱する上記発熱体を用いて加熱対象物を加熱する工程と、上記発熱体の発熱が完了した後に上記発熱体を上記容器から取り出して焼成する工程と、焼成した上記発熱体を再び上記容器内に入れる工程とを有するという構成を採用する。
【発明の効果】
【００１０】
本発明の加熱器によれば、酸化カルシウムを含む発熱体と、該発熱体を出し入れ可能な容器とを備えている。酸化カルシウムを含む発熱体は、水等を加えることによって発熱した後にオーブン等で加熱することによって再利用することができる。したがって、本発明のように発熱体が容器から出し入れ可能とされることによって、携帯可能な加熱器において複数回の使用が可能となる。
また、本発明の加熱方法によれば、上記発熱体の発熱が完了した後に上記発熱体を上記容器から取り出して焼成する工程と、焼成した上記発熱体を再び上記容器内に入れる工程とを有している。したがって、一度使用した発熱体を再び利用することができる。したがって、本発明の加熱方法によれば、携帯可能な加熱器において発熱体を複数回使用可能となる。
【発明を実施するための最良の形態】
【００１１】
以下、図面を参照して、本発明に係る加熱器及び加熱方法の一実施形態について説明する。なお、以下の図面において、各部材を認識可能な大きさとするために各部材の縮尺を適宜変更している。
【００１２】
（第１実施形態）
図１及び図２は、本実施形態の加熱器Ｋ１の概略構成を模式的に示した図であり、図１が断面図、図２が平面図である。この図に示すように、本実施形態の加熱器Ｋ１は、容器１と発熱体２と蓋部３とを備えて構成されている。
【００１３】
容器１は、本第１実施形態の加熱器Ｋ１においては、下端が閉塞された内筒１１を下端が閉塞された外筒１２が囲う二重筒構造を有している。そして、内筒１１と外筒１２との間が発熱体２を収納する空間Ｓ１として構成されている。なお、内筒１１の内側は、加熱対象物Ｘを収納する空間Ｓ２として構成されている。
また、本実施形態の加熱器Ｋ１においては、外筒１２が断熱性を有する材料によって形成されている。このように外筒１２を断熱性を有する材料によって形成することによって、発熱体２が発熱した際の熱量が加熱器Ｋ１の外部に伝達されることを抑止することができる。このような断熱性を有する材料としては、発泡ポリエチレンやポリプロピレンなどが挙げられる。
【００１４】
発熱体２は、酸化カルシウムを含むものであり、水と反応することによって発熱するものである。そして、この発熱体２は、上述した内筒１１と外筒１２との間の空間Ｓ１に収納される。
そして、発熱体２が収納される空間Ｓ１の上部は空間Ｓ１の内部に発熱体２を出し入れするための出入口とされており、この出入口に開閉可能な蓋部３が配置されている。なお、内筒１１の上部には蓋部３が存在せず、開放された状態となっている。また、本実施形態の加熱器Ｋ１においては、蓋部３が閉じられた状態において、発熱体２が収納される空間Ｓ１に水を入れるための注水口３１が蓋部３に形成されている。
なお、内部１１の上部にも蓋部を配置すれば、さらなる断熱効果が期待できる。
【００１５】
次に、このように構成された本実施形態の加熱器Ｋ１における加熱方法について説明する。
【００１６】
まず、蓋部３を開放した状態において、容器１の内筒１１と外筒１２との間の空間Ｓ１に、酸化カルシウムを含む発熱体２（例えば貝殻）を収納する（酸化カルシウムを含む発熱体２を容器に入れる工程）。
次に、蓋部３を閉じ、その後、加熱対象物Ｘを内筒１１の内側の空間Ｓ２に収納する。そして、蓋部３に形成された注水口３１から発熱体２を収納する空間Ｓ１に水を入れる（容器内に水を入れる工程）。このように水を空間Ｓ１に入れると、発熱体２と水とが反応し発熱する。この結果、容器１内が加熱され、空間Ｓ２に収納された加熱対象物Ｘが加熱される（発熱する発熱体を用いて加熱対象物を加熱する工程）。
なお、本実施形態の加熱器Ｋ１においては、外筒１２が断熱性を有する材料によって形成されているため、発熱体２と水とが反応することによって発熱した場合であっても、外筒１２の外側、すなわち加熱器Ｋ１の外側が加熱されることが抑止される。したがって、加熱器Ｋ１を持ったまま加熱対象物Ｘを加熱することができる。
また、本実施形態の加熱器Ｋ１によれば、発熱体２と水とが反応して発熱している際に、蓋部３によって空間Ｓ１が閉じられている。このため、発熱した熱量が外部に逃げることを抑止でき、効率的に加熱対象物Ｘを加熱することが可能となる。
なお、加熱対象物Ｘを内筒１１の内側の空間Ｓ１に収納するタイミングは、蓋部３を閉じる前であっても良いし、発熱体２を空間Ｓ１に収納する前であっても良い。
【００１７】
続いて、加熱対象物Ｘの加熱が終了して発熱体２の発熱が完了すると、蓋部３を開放し、発熱体２を空間Ｓ１から取り出し、この取り出した発熱体２をオーブン等で焼成する（発熱体の発熱が完了した後に発熱体を容器から取り出し焼成する工程）。このように発熱が完了した発熱体２を焼成することによって、発熱体２から水分が蒸発し、再び水をかけることによって発熱するようになる。なお、本工程は、一般的には自宅のオーブン等で行う。すなわち、外出先で使用した加熱器を持って帰ってきた後の処理となる。
【００１８】
そして、上述のように焼成した発熱体２を再び容器１の空間Ｓ１に収納する（焼成した発熱体を再び容器内に入れる工程）。これによって、本実施形態の加熱器Ｋ１が使用可能な状態となる。
【００１９】
本実施形態の加熱器Ｋ１によれば、酸化カルシウムを含む発熱体２と、該発熱体２を出し入れ可能な容器１とを備えている。したがって、本発明のように発熱体２が容器１から出し入れ可能とされており、携帯可能な加熱器において複数回の使用が可能となる。
また、本実施形態の加熱方法によれば、発熱体２の発熱が完了した後に発熱体２を容器１から取り出して焼成する工程と、焼成した発熱体２を再び容器１内に入れる工程とを有している。したがって、一度使用した発熱体２を再び利用することができる。したがって、携帯可能な加熱器において発熱体２を複数回使用可能となる。
【００２０】
（第２実施形態）
次に、本発明の第２実施形態について説明する。なお、本第２実施形態の説明において、上記第１実施形態の同様の部分については、その説明を省略あるいは簡略化する。
【００２１】
図３は、本実施形態の加熱器Ｋ２の断面図である。この図に示すように、本第２実施形態の加熱器Ｋ２は、上部が開放された箱状の容器４と、この容器４の上部に開閉可能に設置される蓋部５とを備えて構成されており、容器４の内部に発熱体２及び水を入れることによって発熱体２と水が反応して発熱する。なお、上記第１実施形態と同様、注水口５１は蓋部５に形成されている。
【００２２】
このような構成を有する本実施形態の加熱器Ｋ２は、発熱した熱量によって外部の加熱対象物Ｘを加熱するものである。このため、容器４が熱伝導性の高い材料によって形成されていることが好ましい。このように、容器４が熱伝導性の高い材料によって形成されることによって、熱量を効率的に外部の加熱対象物Ｘに伝えることが可能となる。
【００２３】
そして、このように構成された本実施形態の加熱器Ｋ２においても、上記第１実施形態の加熱器Ｋ１と同様に、蓋部５を開放することによって、発熱体２を容器４の外部に取り出すことができる。このため、発熱が完了した後の発熱体２を容器４の外部に取り出し、オーブン等で焼成した後、再び容器４に戻すことによって、本実施形態の加熱器Ｋ２が使用可能な状態となる。
したがって、本実施形態の加熱器Ｋ２によれば、複数回使用することが可能となる。
【００２４】
なお、本第２実施形態の加熱器Ｋ２においては、容器４が可撓性を有する材料によって形成されているという構成を採用することができる。
このような構成を採用することによって、本実施形態の加熱器Ｋ２を加熱対象物Ｘに密着させた状態で、加熱対象物Ｘを加熱することができるため、より効率的に加熱対象物Ｘを加熱することが可能となる。
【００２５】
以上、添付図面を参照しながら本発明に係る加熱器の好適な実施形態について説明したが、本発明は上記実施形態に限定されないことは言うまでもない。上述した実施形態において示した各構成部材の諸形状や組み合わせ等は一例であって、本発明の主旨から逸脱しない範囲において設計要求等に基づき種々変更可能である。
【００２６】
例えば、上記実施形態における発熱体２として、家庭ごみとして出される貝殻を用いることができる。このように発熱体２として家庭ごみとして出される貝殻を用いることによって、廃棄物を有効利用することが可能となる。
なお、発熱体２として、家庭ごみとして出される貝殻を用いる場合には、貝殻を一度粉砕し、この粉砕した貝殻を焼成する必要がある。
【図面の簡単な説明】
【００２７】
【図１】本発明の第１実施形態である加熱器の概略構成を模式的に示す断面図である。
【図２】本発明の第１実施形態である加熱器の概略構成を模式的に示す平面図である。
【図３】本発明の第２実施形態である加熱器の概略構成を模式的に示す断面図である。
【符号の説明】
【００２８】
Ｋ１，Ｋ２……加熱器
１，４……容器
１１……内筒
１２……外筒
２……発熱体
３，５……蓋部
３１，５１……注水口
【図１】
2007032908.tif 000003
【図２】
2007032908.tif 000004
【図３】
2007032908.tif 000005